(57)【要約】【課題】コンタクトのハウジングへの挿入性を損なわずにコンタクトの所定位置における保持力が向上されたコネクタ【解決手段】ランス２０は先端部にコンタクト３０のボックス部３２に係止する係止部２１を備え、係止部２１はボックス部の幅方向寸法と概ね等しい幅方向の一辺とこの一辺と略等しい高さ方向の一辺とからなる矩形状の係止面２１１を備える。ボックス部は少なくとも一面に後端部を共有するこの面から外方向に突出する突出し部３２１を備え、コンタクトが後方から収容室１１の正規挿入位置まで挿入された状態で、ボックス部の後端部は係止面２１１の下寄り部に係止し、突出し部の後端部は係止面の側寄り部に係止する。ランスは係止部の後方に制御部２２を備え、コンタクトの収容室への挿入過程で制御部とボックス部の突出し部との摺接でランスがコンタクトの挿入に従って上下方向及び幅方向に変位する。【選択図】  図１
2022002184.tif 000002
【特許請求の範囲】
【請求項１】
前後方向に延びる収容室の壁面の一部を基端部とする内向き前方に延びるランスを備えたハウジングと前記収容室に後方から挿入されて前記ランスにより所定位置に保持されるコンタクトとからなるコネクタであって、
前記ランスは先端部に前記コンタクトの前方に備わるボックス部の後端部に係止する係止部を備え、前記係止部は前記ボックス部の幅方向寸法と概ね等しい幅方向の一辺とこの一辺と略等しい高さ方向の一辺とからなる矩形状の係止面を備え、
前記ボックス部は少なくとも一面に前記後端部を共有するこの面から外方向に突出する突出し部を備え、
前記コンタクトが後方から前記収容室の正規挿入位置まで挿入された状態で、
前記ボックス部の後端部は前記係止面の下寄り部に係止し、前記突出し部の後端部は前記係止面の側寄り部に係止するところに特徴を有するコネクタ。
【請求項２】
前記ランスは前記先端部の後方に制御部を備え、前記コンタクトの前記収容室への挿入過程で前記制御部と前記ボックス部の突出し部との摺接で前記ランスが前記コンタクトの挿入に従って上下方向及び幅方向に変位するところに特徴を有する請求項１に記載のコネクタ。
【請求項３】
前記上下方向の変位と前記幅方向の変位とが同時に生じる過程がるところに特徴を有する請求項２に記載のコネクタ。
【請求項４】
前記ボックス部の上面が板材の重ね合わせで、前記突出し部が前記板材の端部の折り曲げで構成されるところに特徴を有する請求項３に記載のコネクタ。
【発明の詳細な説明】
【技術分野】
【０００１】
本発明はコネクタのハウジングランスとコンタクトとの係止に関する
【０００２】
この分野の技術として特許文献1に記載の技術が知られている。コンタクトの挿入性を維持しつつコンタクトの保持力の向上が図られたコネクタが開示されている。これによれば、コンタクトの保持力の向上を図るために、ハウジングランスの先頭部と、係止時この先頭部に係止するコンタクトボックス部の後端部との当接面積の拡大化がなされている。ハウジングランスの先頭部には、縦方向の一辺に第1係止部と、これに直交する幅方向の一辺に第2係止部とが備わる。これら2つの係止部は端部で角部を形成するようにL字状に備わる。一方コンタクトには、ボックス部後方の幅方向に第１係止部に係止する第1被係止部と、縦方向に第２被係止部に係止する第２被係止部とが備わる。第1被係止部は圧延板材料の重ね合わせ部からなり、第2被係止部は重ね合わせ部の先端の折り曲げ部からなる。
【先行技術文献】
【特許文献】
【０００３】
【特許文献１】特開２０１２−２３４６５５号公報
【発明の概要】
【発明が解決しようとする課題】
【０００４】
しかし、ハウジングランスの成型で、第１係止部と第2係止部との境界上で段差が生じた場合には、ハウジングランスとコンタクトとの係止部同志の当接面に隙間が生じることとなる。これでは、予定する係止面積が確保されず、十分な保持力が得られなくなるおそれがある。また、このように段差が生じた場合には、コンタクト挿入時の片掛かりが生じたり、挿入フィーリングに違和感が生じたりする場合がある。
【０００５】
本発明は上述した問題に鑑みてなされたものであり、コンタクトの挿入性を損なわず、コンタクトの保持力が向上されたコネクタの提供を目的とするものである。
【課題を解決するための手段】
【０００６】
本発明に係るコネクタは、（１）前後方向に延びる収容室の壁面の一部を基端部とする内向き前方に延びるランスを備えたハウジングと前記収容室に後方から挿入されて前記ランスにより所定位置に保持されるコンタクトとからなるコネクタであって、前記ランスは先端部に前記コンタクトの前方に備わるボックス部の後端部に係止する係止部を備え、前記係止部は前記ボックス部の幅方向寸法と概ね等しい幅方向の一辺とこの一辺と略等しい高さ方向の一辺とからなる矩形状の係止面を備え、前記ボックス部は少なくとも一面に前記後端部を共有するこの面から外方向に突出する突出し部を備え、前記コンタクトが後方から前記収容室の正規挿入位置まで挿入された状態で、前記ボックス部の後端部は前記係止面の下寄り部に係止し、前記突出し部の後端部は前記係止面の側寄り部に係止するところに特徴を有するものである。
【０００７】
この発明によれば、ランスの係止面はボックス部の幅方向寸法と概ね等しく、コンタクトの収容室への正規挿入状態で、ボックス部上辺の端部に係止するとともに突出し部の端部にも係止する。なお挿入過程でランスはコンタクトとの当接により挿入路外に変位するのでコンタクトの挿入に影響するものではない。これにより、ハウジング所定位置へのコンタクトの挿入性を損なわずに、所定位置におけるコンタクトの保持力が向上されたコネクタが得られる。
【０００８】
好ましくは、本発明に係るコネクタは、（２）前記ランスは前記先端部の後方に制御部を備え、前記コンタクトの前記収容室への挿入過程で前記制御部と前記ボックス部の突出し部との摺接で前記ランスが前記コンタクトの挿入に従って上下方向及び幅方向に変位するところに特徴を有する（１）に記載のものである。
【０００９】
この発明によれば、コンタクトの収容室への挿入過程でランスが斜め方向に移動してコンタクトとの干渉を避ける構造なので、コンタクトのハウジング所定部への挿入性を損なわないコネクタが得られる。
【００１０】
好ましくは、本発明に係るコネクタは、（３）前記上下方向の変位と前記幅方向の変位とが同時に生じる過程があるところに特徴を有する（２）に記載のものである。
【００１１】
この発明によれば、ランスは斜め方向に移動してコンタクトとの干渉を避けるので、コンタクトのハウジング所定部への挿入性を損なわずに挿入されるコネクタが得られる。
【００１２】
好ましくは、本発明のコネクタは、（４）前記ボックス部の上面が板材の重ね合わせで、前記突出し部が前記板材の端部の折り曲げ加工で構成されるところに特徴を有する（３）に記載のものである。
【００１３】
この発明によれば、ランスの係止部と係止するコンタクトは、板材が重ね合わさる上辺と突出し部で構成されるので、広い面積の係止構造を備えたコネクタが得られる。
【図面の簡単な説明】
【００１４】
【図１】図１は、本発明の実施形態に係るコネクタの要部をとらえた透視斜視図である。
【図２】図２は、本発明の実施形態に係るハウジングの要部をとらえた断面斜視図である。
【図３】図３は、本発明の実施形態に係るハウジングの縦方向の断面図である。
【図４】図４は、本発明の実施形態に係るランスの外観斜視図である。
【図５】図５は、本発明の実施形態に係るコンタクトの外観斜視図である。
【図６】図６は、同コンタクトのハウジングへの挿入方向を示す斜視図である。
【図７】図７は、同コンタクトの収容室内での挿入過程を示す透視断面図であって、（１）は挿入途中、（２）は挿入完了である。
【図８】図８は、同コンタクトとランスの挿入過程の関係を示す斜視図であって、（１）はボックス部が制御部の手前位置、（２）はボックス部の突出し部とランスの制御部とが作用する位置、（３）はランスがボックス部に係止する状態（位置）である。
【図９】図９は、同コンタクトとランスの挿入過程の関係を示す正面図であって、（１）は制御部と突出し部との係りはじめを示す正面図、（２）はランスが最大に振れている状態を示す正面図、（３）はランスの振れが元の位置に戻りボックス部の後方に係止する状態を示す正面図である。
【図１０】図１０は、ランスがボックス部の後方で係止する状態を示す斜視図である。
【発明を実施するための形態】
【００１５】
本発明の実施形態に係るコネクタを図面に従って説明する。図１は、本発明の実施形態に係るコネクタの要部をとらえた透視斜視図である。図２は、本発明の実施形態に係るハウジングの要部をとらえた断面斜視図である。図３は、本発明の実施形態に係るハウジングの縦方向の断面図である。図４は、本発明の実施形態に係るランスの外観斜視図である。図５は、本発明の実施形態に係るコンタクトの外観斜視図である。図６は、同コンタクトのハウジングへの挿入方向を示す斜視図である。図７は、同コンタクトの収容室内での挿入過程を示す透視断面図であって、（１）は挿入途中、（２）は挿入完了である。図８は、同コンタクトとランスの挿入過程の関係を示す斜視図であって、（１）はボックス部が制御部の手前位置、（２）はボックス部の突出し部とランスの制御部とが作用する位置、（３）はランスがボックス部に係止する状態（位置）である。図９は、同コンタクトとランスの挿入過程の関係を示す正面図であって、（１）は制御部と突出し部との係りはじめを示す正面図、（２）はランスが最大に振れている状態を示す正面図、（３）はランスの振れが元の位置に戻りボックス部の後方に係止する状態を示す正面図である。図１０は、ランスがボックス部の後方で係止する状態を示す斜視図である。なお、本発明の技術的範囲は本実施形態のコネクタに限定的に解釈されるものではなく、発明の要旨を逸脱しない範囲で適宜設計変更をし得るものである。また、説明中の指示方向は図中の方向定義に従う。
【００１６】
コネクタ１は、図１に示されるように、非導電性の合成樹脂からなるハウジング１０と、導電性の銅合金等からなるコンタクト３０とを備える。ハウジング１０は、内部にコンタクト３０を収容するための収容室１１を備える。収容室１１は、コンタクト３０を収容、保持するための空間で周囲四方が壁面で構成されている。収容室１１は、前方に前開口部１３、後方に後開口部１２を備える。ハウジング１０の中央やや前方の上壁にはランス２０が形成され、ランス２０の先端部２１aは収容室１１前方に延び全体的に下方向に傾斜している。収容室１１の底壁は、上壁と平行に延びコンタクト３０の底面が安定的に定まるように平坦面で構成されている。また、収容室１１の左右側面には左壁及び右壁が備わり、隣接する収容室１１から区画されている。コンタクト３０は、後開口部１２から収容室１１に挿入され押切り位置まで進んだところで、ランス２０によって保持される。
【００１７】
ランス２０は、図２−４に示されるように、上壁の一部を基端部とする片持ち梁で上壁の中央部前方から斜め前方に延びている。ランス２０の先頭部２１aには立方構造の係止部２１が備わる。ランス２０は、基端部を支点にして全体を撓らせながら上下方向及び左右方向に弾性的に変位する。
【００１８】
係止部２１の前面には、図２−４に示されるように、係止面２１１が備わる。係止面２１１は矩形状の平坦面である。係止部２１の後方には制御部２２が備わる。係止部２１及び制御部２２の構成面は一様に平坦である。
【００１９】
制御部２２は、図２−４に示されるように、下面及び側面にテーパー面を備えている。下テーパー面２２１は、前方で係止部２１の下面に連なり後方で基部２０aの下面に連なる。側テーパー面２２２は、前方で係止部２１の側面に連なり、後方で側面に連なる。側テーパー面２２２の前方は、後方に比べて左方向に傾斜している。
【００２０】
コンタクト３０は、図５に示されるように、前後方向に沿って延び、後方に電線Wに接続する接続部３４と、前方に図示しない相手方コンタクトに接続する接触部３１と、そしてその間に連結部とを備える。接続部３４は、電線Wの導体部に接続する導体バレル部３４０と、被覆部に接続する被覆バレル部３４１とを備える。接触部３１は、ボックス構造で先端にボックス部３２を備える。
【００２１】
ボックス部３２は、図５−６に示されるように、前端に開口部が備わる断面矩形の筒状体で、圧延材の折り曲げ加工で形成される。ボックス部３２の前半分は、上面角部が圧延材の付き合せ部になり、後半分は上面で右側面の上端部が直角に左方向に曲げられて既に備わる上面に重ね合わさり重ね合わせ部３２０を構成する。ボックス部３２の後方には切欠き部３３が備わる。ボックス部３２の後端面は面一の面で構成されている。
【００２２】
ボックス部３２は、図５−６に示されるように、上面の重ね合わせ部３２０の左端に突出し部３２１が備わる。突出し部３２１は、重ね合わせ部３２０の先端が上方に９０度曲げ加工された部分である。突出し部３２１は、ボックス部３２の上面から直角に上方向に延びている。重ね合わせ部３２０の後端面と、突出し部３２１の後端面とは面一で共通する面を構成する。なお、本実施形態ではボックス部３２の上面に突出し部３２１が備わるが、この形態に限定されるものではなく、たとえば側面から側方向に構成されるものであってもよい。
【００２３】
コンタクト３０は、図６に示されるように、ハウジング１０の後面に備わる後開口部１２から収容室１１に挿入される。コンタクト３０は、先端部にあるボックス部３２の突出し部３２１が上向く姿勢で後開口部１２から挿入される。後開口部１２の上部左隅には、コンタクト３０の挿入時突出し部３２１が干渉しないように縦溝部１２aが形成されている。コンタクト３０を収容室１１の押切り位置まで挿入すると、収容室１１上壁から斜め前方に延びるランス２０にボックス部３２が係止する。これにより、コンタクト３０はランス２０によって保持されることとなる。
【００２４】
<ランスの変位>
ランス２０は、図７−８に示されるように、コンタクト３０の挿入過程の後半部で、ボックス部３２の前面に当接する。この当接開始位置からコンタクト３０の挿入量に応じたランス２０の移動が開始する。ランス２０の移動方向は上方向及び右方向であり、これらの移動は同時に生じる場合があり、そのときランス２０は斜め方向に移動する。
【００２５】
ランス２０は、図７−８に示されるように、当接開始位置でコンタクト３０の挿入量に応じて上方向への移動を開始する。当接開始位置で、ボックス部３２の前面の上縁部がランス制御部２２の下テーパー面２２１の上端部に当接する。コンタクト３０は、挿入量に応じてランス２０全体を撓らせながら前進する。挿入に対する変位の割合は下テーパー面２２１の傾斜角度等によって決定される。コンタクト３０の挿入量が増し、ボックス部３２前面の上縁部が制御部２２の下テーパー面２２１と、係止部２１の下面との交線部に達した位置でランス２０の変位量は最大になる（上方傾斜最大位置）。
【００２６】
ランス２０は、図7−８に示されるように、上方傾斜最大位置で制御部２２の下テーパー面２２１と、係止部２１下面との角部（交線部）でボックス部３２上面に当接する。コンタクト３０は、ボックス部３２の上面を角部（交線部）に摺接させながら収容室１１の奥部に進む。この挿入過程でランス２０はほぼ一定の上方傾斜角度を維持して進む。
【００２７】
当接開始位置から上方傾斜最大位置までの間、ボックス部３２の中央部分がランス先頭部２１aを通過するあたりで、ボックス部３２上面の後方にある突出し部３２１と、係止部２１後方にある制御部２２の側テーパー面２２２との接触が始まる（側テーパー面当接開始位置）。この側テーパー面当接開始位置から上方傾斜最大位置までの間、ランス２０には、下テーパー面２２１及び側テーパー面２２２を介して上方向及び側方向の2方向の力が作用する。これにより、ランス２０は斜め方向に変位する。
【００２８】
コンタクト３０の挿入量が増し上方傾斜最大位置で、ランス２０の上方向変位が最大になると同時に、ランス２０の側方向変位も最大になる。このように、ランス２０を上方向及び側方向へ変位させることで少ないスペースでランス２０をボックス部３２の後方位置（係止位置）へと誘導する。
【００２９】
コンタクト３０をさらに奥部へすすめると、ランス２０の係止部２１は、図７−８に示されるように、ボックス部３２の後方位置に進み、やがて切欠き部３３に嵌る。係止部２１が切欠き部３３に嵌ることで、ランス先頭部２０aに対するボックス部３２からの作用はなくなり、斜め方向に変位していたランス２０はもとの姿勢へ復元する。ランス２０の全体的な復元により先頭部２０aとボックス部３２との縦中心線は一致し、係止部２１はボックス部３２の後方位置に位置（係止位置）する。また、係止面２１１はボックス部３２の後面に当接する。この当接により、コンタクト３０に後方への抜け出し力が作用したとき、係止面２１１はボックス部３２の後面に係止し、コンタクト３０の抜け出しを阻止する。
【００３０】
<係止面>
コンタクト３０の挿入過程とランス２０の変位を前方から眺めると、図９の（１）に示されるように、コンタクト３０が側テーパー面当接開始位置を過ぎるあたりから、ランス２０（先頭部）は上方向への移動に加えて、右方向への移動を開始する。コンタクト３０の挿入量が増すとともに、ランス２０（先頭部２０a）はさらに移動し、図９の（２）に示されるように、上方向への変位量及び右方向への変位量ともに最大値に近づく。このとき、先頭部２０aの縦中心線は、コンタクト３０の縦中心線から大きく右方向へずれる。また、先頭部２０aの横中心線は、コンタクト３０の横中心線から大きく上方向へずれる。
【００３１】
コンタクト３０の挿入量がさらに増すと、ランス２０の先頭部２０aは切欠き部３３に嵌り、図９の（３）に示されるように、係止面２１１がボックス部３２の後方位置に重なる。これにより、ランス２０はもとの姿勢に戻り、ランス２０の縦中心線と、ボックス部３２の縦中心線とは重なり合う（復元位置）。
【００３２】
復元位置でランス２０の先頭部２０aは、図９−１０に示されるように、ボックス部３２後面との当接位置に位置する。ランス２０係止面２１１の下端部の下部係止面２１１aは、ボックス部３２の幅方向係止面３２２に係止する。また、ランス２０の係止面２１１の側部係止面２１１ｂは、ボックス部３２の縦方向係止面３２３に係止する。ここで、幅方向係止面３２２は、重ね合わせ部３２０全体を含み、また縦方向係止面３２３は、突出し部３２１全体及び重ね合わせ部３２０の一部を含む。
【００３３】
<効果>
このように、ボックス部３２に重ね合わせ部３２０及び突出し部３２１が備わりこれらによって幅方向係止面３２２及び縦方向係止面３２３が構成される。また、ランス２０には平坦な係止面２１１が備わり、係止面２１１全体が一体的にボックス部３２の幅方向係止面３２２及び縦方向係止面３２３に係止する。このような係止構造により、コンタクト３０に対するランス２０の係止面積が増倍されるので安定的にコンタクト３０を保持することができる。また、ランス２０の係止面は一様な平坦面で構成されるので相手方係止面が平坦である限り予定する係止面積で係止する係止構造が得られる。
【００３４】
ランス２０はコンタクト３０の挿入時、ボックス部３２の突出し部３２１を横方向にかわすので、コネクタ１の小型化を阻害することなく保持力の優れたコネクタ１が得られる。
【符号の説明】
【００３５】
１          コネクタ
１０        ハウジング
１１        収容室
１２        後開口部
１３        前開口部
２０        ランス
２０ａ      基部
２１        係止部
２１１      係止面
２２        制御部
２２１      下テーパー面
２２２      側テーパー面
３０        コンタクト
３１        接触部
３２        ボックス部
３２０      重ね合わせ部
３２１      突出し部
３２２      幅方向係止部
３２３      縦方向係止部
３３        切欠き部
３４        接続部
３４０      導体バレル部
３４１      被覆バレル部
３５        連結部
W          電線
【図１】
2022002184.tif 000003
【図２】
2022002184.tif 000004
【図３】
2022002184.tif 000005
【図４】
2022002184.tif 000006
【図５】
2022002184.tif 000007
【図６】
2022002184.tif 000008
【図７】
2022002184.tif 000009
【図８】
2022002184.tif 000010
【図９】
2022002184.tif 000011
【図１０】
2022002184.tif 000012